(57)【特許請求の範囲】
【請求項１】
画像情報を入力して記録材上に画像を形成する画像形成装置であって、画像情報を入力する画像情報入力手段と、該画像情報入力手段から入力された画像情報に対し、当該画像形成装置を特定する視認可能な所定の付加画像情報を付加する画像付加手段と、該画像付加手段で前記所定の付加画像情報が付加された後の付加後の画像情報から画像を形成して、記録材上に記録する画像記録手段とを備え、前記所定の付加画像情報は、前記画像情報入力手段で入力された画像情報と全体的に重なる前記記録材上の所定位置に記録可能な情報であり、
前記画像記録手段は、前記記録材上の両面に対して画像を記録する手段を有し、
前記画像付加手段は、前記記録材の第１の面に記録される画像と第２の面に記録される画像のそれぞれに前記所定の付加画像情報を付加し、且つ、前記記録材の両面に記録される前記所定の付加画像情報を、記録材の表裏において上下にずれた状態となるように付加することを特徴とする画像形成装置。
【請求項２】
前記所定の付加画像情報は、前記記録材上の複数の分割領域に分割したときのそれぞれの分割領域において同じ位置に記録可能に配置される、前記分割領域と同数の付加画像に関する情報であることを特徴とする請求項１に記載の画像形成装置。
【請求項３】
前記画像付加手段は、前記画像情報入力手段から入力される画像情報に対して前記所定の付加画像情報を付加するか否か決定する決定手段を有することを特徴とする請求項１又は２に記載の画像形成装置。
【請求項４】
当該画像形成装置のユーザを認証するユーザ認証手段を備え、前記画像付加手段は、前記ユーザ認証手段で認証された当該画像形成装置の管理者に、前記所定の付加画像情報の内容及び／又は付加するか否かを設定させる付加情報設定手段を有することを特徴とする請求項１乃至３のいずれか１項に記載の画像形成装置。
【請求項５】
前記画像付加手段は、前記所定の付加画像情報として、当該画像形成装置を特定するための情報の他に前記ユーザ認証手段で認証したユーザに関する情報も併せて付加することを特徴とする請求項４に記載の画像形成装置。
【請求項６】
前記画像情報入力手段で入力される画像情報の機密レベルを判定するレベル判定手段を備え、前記画像付加手段は、前記レベル判定手段で判定された機密レベルに応じて前記所定の付加画像情報の形態を決定することを特徴とする請求項１乃至５のいずれか１項に記載の画像形成装置。
【請求項７】
前記画像付加手段は、前記記録材のサイズに応じて前記所定の付加画像情報を付加する前記所定位置を切り換えることを特徴とする請求項１乃至６のいずれか１項に記載の画像形成装置。
【請求項８】
請求項１乃至７のいずれか１項に記載の画像形成装置に組み込み、該画像形成装置の制御部を前記画像付加手段として機能させるためのプログラム。
【請求項９】
請求項８に記載のプログラムを記録したコンピュータ読み取り可能な記録媒体。
【発明の詳細な説明】
【技術分野】
【０００１】
本発明は、画像形成装置、プログラム、及び記録媒体に関し、より詳細には、印刷画像等の画像情報とは別に付加画像情報を付加させることが可能な、画像形成装置、その装置に組み込むためのプログラム、及び、そのプログラムを記録したコンピュータ読み取り可能な記録媒体に関する。
【背景技術】
【０００２】
従来から、画像形成装置においては、印刷画像とは別に、コピーした装置のメーカ名や製造番号などを人に視認できるように付加して印字することが可能なものがある。ここで付加する付加情報は、複写物が出回った場合でも複写元を特定することができるだけでなく、複写の牽制となり得る。従来、このような付加情報は、原稿台のプラテンガラスに刻印され、この刻印によって印刷画像がその部分だけハーフトーンとなって、印字結果として表れるよう構成されていた。
【０００３】
また、原稿画像に情報を合わせて記録する他の従来技術として、原稿画像に装置を特定する情報を付加するもの（例えば、特許文献１を参照）や、原稿画像にウォーターマークを付加するもの（例えば、特許文献２を参照）が提案されている。
【０００４】
特許文献１に記載の画像形成装置は、カラー原稿を画像信号に変換して読み取る画像読取手段と、画像読取手段からの画像信号を書込信号として処理する画像処理手段と、画像処理手段の出力画像信号に基づいて記録紙に画像を形成する画像形成手段と、装置の機種・機番等の識別情報を発生する識別情報発生手段と、識別情報発生手段からの識別情報を画像情報に対して付加する識別情報付加手段とを具備し、識別情報付加手段による識別情報の付加は、原稿画像の画像情報の一部を削除し、削除された白抜き部分に記録している。この画像形成装置においても、識別情報は出力した装置の機種や機番を特定して偽造複写物流出時における追跡捜査を可能にするために付加され、またこの方法で付加することで出力画像を著しく劣化させないようにしている。
【０００５】
特許文献２に記載のプリンタ制御装置は、マークを出力様式に関連付けて登録するマーク登録手段と、登録されたマークの中から少なくとも１つのマークを選択するマーク選択手段と、選択されたマークを画像データに重ね合わせる画像合成手段とを備え、画像データにマーク（ウォーターマーク）を重ね合わせてプリンタに送信するようになっている。
【特許文献１】特開平６−７０１３４号公報
【特許文献２】特開２０００−２０２７１号公報
【発明の開示】
【発明が解決しようとする課題】
【０００６】
しかしながら、従来技術のごとく原稿台のプラテンガラスに刻印してハーフトーンで印字する構成の装置では、装置１台１台に装置番号等の刻印が必要となり、製造コストが高くなる上に、修理の際にも直ぐに対応できなかったり修理コストも高くなってしまう。
【０００７】
また、特許文献１のごとき装置では、プラテンガラスに刻印した装置で生じたような問題は生じないものの、原稿に対する忠実な画像を得ようとしている。従って、（１）主に画像が印刷される領域（原稿印刷領域という）に付加する識別情報は黄色等の色をもつ視認できないような情報に限られること、（２）原稿印刷領域外或いは原稿印刷領域の上下左右の外縁付近にしか視認できる識別情報を付加できないこと、といった制限が生ずる。上記（１）、（２）のごとき制限によって、この装置で印刷を実行するユーザは、識別情報を印刷しても視認できる部分が目立たないために牽制の効果は少なく、また、識別情報が付加されていない部分の原稿に重要な情報が含まれていた場合を考慮していないため、その部分だけを切り取ってコピーするといったことが容易に可能となり、牽制効果が低い。
【０００８】
また、特許文献２のごとき装置では、プラテンガラスに刻印した装置で生じたような問題は生じないものの、装置に無関係のマークを付加すること及びその設定方法を改善しようとしている。従って、ここで付加されるマークは、任意に一般ユーザが付加するか付加しないかを選択するようなことも可能であり、複写の牽制には全くならない。さらに、牽制用装置ではないのでマークが付加されていない部分の原稿に重要な情報が含まれていた場合を考慮していないため、その部分だけを切り取ってコピーするといったことが容易に可能となり、牽制効果が低い。
【０００９】
本発明は、上述のごとき実情に鑑みてなされたものであり、入力された画像に対して画像形成処理を行う際に、牽制効果の高い付加画像を付加することが可能で、修理の際にも部品のコストや部品調達の時間がかかることもない画像形成装置、その装置に組み込まれるプログラム、及び、そのプログラムを記録したコンピュータ読み取り可能な記録媒体を提供することをその目的とする。
【課題を解決するための手段】
【００１０】
本発明は、上述のごとき課題を解決するために、以下の各技術手段でそれぞれ構成される。
【００１１】  第１の技術手段は、画像情報を入力して記録材上に画像を形成する画像形成装置であって、画像情報を入力する画像情報入力手段と、該画像情報入力手段から入力された画像情報に対し、当該画像形成装置を特定する視認可能な所定の付加画像情報を付加する画像付加手段と、該画像付加手段で前記所定の付加画像情報が付加された後の付加後の画像情報から画像を形成して、記録材上に記録する画像記録手段とを備え、前記所定の付加画像情報は、前記画像情報入力手段で入力された画像情報と全体的に重なる前記記録材上の所定位置に記録可能な情報であり、前記画像記録手段は、前記記録材上の両面に対して画像を記録する手段を有し、前記画像付加手段は、前記記録材の第１の面に記録される画像と第２の面に記録される画像のそれぞれに前記所定の付加画像情報を付加し、且つ、前記記録材の両面に記録される前記所定の付加画像情報を、記録材の表裏において上下にずれた状態となるように付加することを特徴としたものである。【００１２】
第２の技術手段は、第１の技術手段において、前記所定の付加画像情報は、前記記録材上の複数の分割領域に分割したときのそれぞれの分割領域において同じ位置に記録可能に配置される、前記分割領域と同数の付加画像に関する情報であることを特徴としたものである。
【００１３】
第３の技術手段は、第１又は第２の技術手段において、前記画像付加手段は、前記画像情報入力手段から入力される画像情報に対して前記所定の付加画像情報を付加するか否か決定する決定手段を有することを特徴としたものである。
【００１６】
第４の技術手段は、第１乃至第３のいずれかの技術手段において、当該画像形成装置のユーザを認証するユーザ認証手段を備え、前記画像付加手段は、前記ユーザ認証手段で認証された当該画像形成装置の管理者に、前記所定の付加画像情報の内容及び／又は付加するか否かを設定させる付加情報設定手段を有することを特徴としたものである。
【００１７】
第５の技術手段は、第４の技術手段において、前記画像付加手段は、前記所定の付加画像情報として、当該画像形成装置を特定するための情報の他に前記ユーザ認証手段で認証したユーザに関する情報も併せて付加することを特徴としたものである。
【００１８】
第６の技術手段は、第１乃至第５のいずれかの技術手段において、前記画像情報入力手段で入力される画像情報の機密レベルを判定するレベル判定手段を備え、前記画像付加手段は、前記レベル判定手段で判定された機密レベルに応じて前記所定の付加画像情報の形態を決定することを特徴としたものである。
【００１９】
第７の技術手段は、第１乃至第６のいずれかの技術手段において、前記画像付加手段は、前記記録材のサイズに応じて前記所定の付加画像情報を付加する前記所定位置を切り換えることを特徴としたものである。
【００２０】
第８の技術手段は、第１乃至第７のいずれかの画像形成装置に組み込み、該画像形成装置の制御部を前記画像付加手段として機能させるためのプログラムである。
【００２１】
第９の技術手段は、第８の技術手段におけるプログラムを記録したコンピュータ読み取り可能な記録媒体である。
【発明の効果】
【００２２】
本発明によれば、入力された画像に対して画像形成処理を行う際に、牽制効果の高い付加画像を付加することが可能で、且つ修理の際にも部品のコストや部品調達の時間がかかることもなくなる。
【発明を実施するための最良の形態】
【００２３】
本発明に係る画像処理装置は、画像情報を入力し所定の処理を施す装置であり、（Ｉ）原稿を画像情報として読み取る画像読取装置、（ＩＩ）原稿を読み取った画像データや電子ファイル等、入力された画像情報から記録紙等の記録材に画像を形成する機能を少なくとも備えた画像形成装置、（ＩＩＩ）原稿を読み取った画像データや電子ファイル等、入力された画像情報に対し、記録紙等の記録材に画像を形成したり、イメージファイルやＰＤＦ（Ｐｏｒｔａｂｌｅ  Ｄｏｃｕｍｅｎｔ  Ｆｏｒｍａｔ）等の電子ファイルとしてＨＤ（ハードディスク）等の記録媒体に記録したりする画像記録装置の３つの形態がある。これらの形態の説明に当たり、以下では、基本的な説明と共に、上記（Ｉ）〜（ＩＩＩ）に限る説明については、基本的にその旨を記すものとする。
【００２４】
図１は、本発明の一実施形態に係る画像処理装置の一構成例を示す図で、図中、１は画像処理装置（画像形成装置）、１１はユーザ認証手段、１２は第一画像情報入力手段、１３は第二画像情報入力手段、１４は画像処理モード決定手段、１５は画像処理手段、１６は画像付加手段、１６ａは決定手段、１６ｂは付加情報決定手段、１６ｃは付加情報設定手段、１６ｄはレベル判定手段、１６ｅは特徴判定手段、１７は処理手段である。
【００２５】
本発明に係る画像処理装置は、少なくとも１つの画像情報入力手段（手段１２及び／又は手段１３）、画像付加手段１６、及び、画像処理装置１における所定処理を実行する処理手段１７を備えるものとする。
【００２６】
画像情報入力手段は、画像情報を入力する手段であり、第一画像情報入力手段１２及び第二画像情報入力手段１３で図示するように好ましくは２つ以上の入力手段を有する。そして、これらの入力手段１２，１３は原稿を光学的に読み取って画像データを生成するスキャナ等の画像読取手段であってもよいし、電子ファイルをＰＣ（パーソナルコンピュータ）等の他器からネットワーク等を介して受信する受信手段か、或いは電子ファイルを画像処理装置１に装着した外部記録媒体から読み出して受け取る読出受取手段であってもよい。
【００２７】
画像処理モード決定手段１４は、１又は複数種類具備された画像処理手段１５を、ユーザがモード選択によって選択決定する手段である。画像処理手段１５は、上記（Ｉ）に係わる画像読取手段における後処理の手段（読み取った画像情報から画像データを生成する手段等）、上記（ＩＩ）に係わる画像形成手段、上記（ＩＩＩ）に係わる画像記録手段などがそれに該当し、それぞれの処理手段１７を備えるものとする。従って、画像処理モード決定手段１４は、これらの画像処理手段１５から、（Ｉ）に関してｓｃａｎ  ｔｏ  ｆｉｌｅやｓｃａｎ  ｔｏ  Ｅ−ｍａｉｌ、（ＩＩ）に関してスキャン後の印刷処理やファイル受信後の印刷処理、（ＩＩＩ）に関してスキャン後の印字処理やスキャン後の電子ファイル生成・記録処理、といった各モードの中からユーザ選択されたモードで、画像処理装置１を機能させる。そして、いずれの処理手段１７でも、基本的には、画像情報入力手段で入力された画像情報に画像付加手段１６で所定の付加画像情報を付加した上で、それぞれの画像処理を実行することとなる。
【００２８】
画像付加手段１６は、画像情報入力手段から入力された画像情報に対し、画像処理装置１を特定する視認可能な所定の付加画像情報を付加する手段であり、最終的な処理の好ましくは直前で付加処理を実行する。
【００２９】
画像付加手段１６としては、画像情報入力手段から入力される画像情報に対して所定の付加画像情報を付加するか否か決定する決定手段１６ａ、付加画像情報を決定する付加情報決定手段１６ｂ、付加画像情報の設定を管理者に行わせる付加情報設定手段１６ｃ、入力された画像情報の機密レベルを判定するレベル判定手段１６ｄ、入力された画像情報の特徴を判定する特徴判定手段１６ｅのいずれか１又は複数を備えることが好ましい。これら各手段については、その詳細を後述する。
【００３０】
なお、決定手段１６ａを具備して付加画像情報を付加しないこともできることから、或いは後述するＣＩＳ（密着型光学読取方式）方式の画像読取手段を採用できることからも、本発明が、従来技術のごとくプラテンガラスに必ずコピー画像として再現される刻印を付けるようなものではないことが分かる。
【００３１】
図２は、本発明に係る画像処理装置の一例である画像形成装置の構成例を示す図で、１は画像形成装置の一例としてのデジタル複合機、２０は第一画像読取部、２１は第二画像読取部、２２は操作部、２３は画像形成部、２４は記憶装置の一例としてのハードディスク（ＨＤ）、２５はＦＡＸモデム、２６は通信部、２７は管理部、２８はタイマ、２９は消去処理部、３０は機器制御部、３１は画像付加部である。
【００３２】
図２で例示するデジタル複合機１は、第一画像読取部２０、第二画像読取部２１、操作部２２、画像形成部２３、ＨＤ２４、ＦＡＸモデム２５、通信部２６、管理部２７、タイマ２８、消去処理部２９、機器制御部３０、及び本発明の特徴部分である画像付加部３１などで構成される。
【００３３】
また、デジタル複合機１には、図２で例示するように、電話回線網１０４により例えば外部ＦＡＸ１０６が接続されていると共に、ＬＡＮやＷＡＮ（Ｗｉｄｅ  Ａｒｅａ  Ｎｅｔｗｏｒｋ）等のネットワーク１０３を介して、複数の端末ＰＣ１０２ａ，１０２ｂ，．．．及びさらにインターネット網１０５経由でネットワーク１０３外部にあるインターネットＦＡＸ１０７や外部ＰＣ１０８や外部サーバ１０９などに接続されていてもよい。これらのネットワーク構成により、各種データの送受信が可能となり、各種画像情報の入力も可能となる。
【００３４】
操作部２２は、操作画面の表示を行う出力部（表示部）２２ｂとその表示を元に利用者に各種設定及び操作内容を入力させる入力部２２ａとを備えるタッチパネル等でなる。操作部２２では、通常の入力データの指定、保存先の指定、認証データ（認証コード等）の入力、保存条件設定を、ユーザに行わせる。その他、操作部２２では、本発明に関する、印刷／データ保存／スキャンといった画像処理モードの選択設定や、付加画像情報（及びその色、位置、数、大きさ）の指定、付加／未付加の指定、並びに機密レベルの設定を含む各種設定情報の入力や、変倍設定、両面印刷設定、自動用紙選択、Ａ４，Ｂ５等の用紙選択、給紙部２３ｄにおける給紙トレイの中からの給紙トレイ選択などの設定も、ユーザに行わせる。但し、入力画像情報の印刷方法を指定するための設定を除く本発明の画像付加処理に係わる設定（特に、付加／未付加の設定）は、管理者のみが実行できるようにしておくことが複写牽制の点から好ましい。
【００３５】
画像読取部２０は、操作部２２での操作に基づき、原稿検知センサ２０ｂによって原稿の有無を検知しＣＣＤ２０ａでその原稿を読み取り画像データとして出力する。同様に、ＣＩＳ方式の画像読取部２１は、操作部２２での操作に基づき、原稿検知センサ２１ｂによって原稿の有無を検知しＣＣＤ２１ａでその原稿を読み取り画像データとして出力する。双方とも出力先は、ファイリング処理を実行する場合には、画像形成部２３を介したＨＤ２４或いは直接ＨＤ２４となり、印字の場合には画像形成部２３となり、データ送信の場合には通信部２６等となる。ＦＡＸモデム２５は外部ＦＡＸ１０６とのファクシミリ通信を行うためのモデムである。通信部２６は、ネットワーク１０３経由で接続されたデジタル複合機１の外部機器との通信を制御する。
【００３６】
画像形成部２３は、画像読取部２０，２１で読み取った画像データやＦＡＸモデム２５或いは通信部２６で受け取った受信データ（受信ファイル）などをメモリ２３ｂに一時記憶し、レーザスキャナユニット（ＬＳＵ）を搭載した印字部２３ａから用紙等の媒体に画像を形成する。その際、一旦ＨＤ２４に印刷データを蓄積し続け、全部のデータが格納された段階で再度メモリ２３ｂに読み出して印字部２３ａで画像を形成してもよい。用紙は、給紙部２３ｄから供給され、印字後、排出部２３ｅから排出される。画像形成部２３では、暗号処理部２３ｃにてメモリ２３ｂに記憶された画像データ等のデータを暗号化してＨＤ２４に記憶することも可能となっており、逆に、ＨＤ２４に記憶された暗号化データを復号化してメモリ２３ｂを介してネットワーク１０３等を経由して外部機器に出力することや印字部２３ａで媒体として印字出力することも可能となっている。消去処理部２９は、ＨＤ２４に記憶されたデータを、セキュリティ保持や記憶容量確保などのために消去する処理を行う。
【００３７】
上述のごとく、デジタル複合機１には、操作部２２にキー入力部２２ａと表示部２２ｂが設けてあり、デジタル複合機１の機能指示操作の他にＩＤ入力が行なえる。ＩＤ入力の他にＩＤカードを入力しその情報を読み取るＩＤカード読み取り器を、デジタル複合機１に具備してもよい。このように、デジタル複合機１には、何らかのユーザ識別手段、例えばこのような認証手段を備えることが好ましい。認証手段は、利用者情報に基づいて一般ユーザや管理者ユーザを認証し自機１の使用を可能とするものであればよく、デジタル複合機１は、まずこの認証手段により使用者を限定する。さらに、デジタル複合機１は、通信部２６により、接続された機器（端末ＰＣ１０２ａ，１０２ｂ等）との双方向のデータ通信が行なえる。
【００３８】
機器制御部３０は、上述した各部に接続された主制御部であり、管理部２７の管理データ及びタイマ２８からのタイマ時間を参照しながら、デジタル複合機１の各部間のデータのやり取りをはじめとしてデジタル複合機１の動作を統括的に制御する。管理部２７は、例えばＨＤ２４に格納されたフォルダ情報や保存条件の情報、自機１のＩＰアドレスなどを管理する。管理部２７は、さらに本発明に係る付加画像情報を、各付加画像情報を使用する設定に応じ、機器制御部３０を介して画像付加部３１がメモリ２３ｂに読み出すことを可能とするように、保持し管理している。タイマ２８は、デジタル複合機１の待機状態の時間を計時し、この時間を機器制御部３０に通知する。
【００３９】
機器制御部３０における制御の一例を挙げると、操作部２２は、利用者の操作入力により指示された複写要求や各種の記録条件等を機器制御部３０に通知し、機器制御部３０は、デジタル複合機１の動作状態等を操作部２２の表示部２２ｂの表示画面に表示すると共に、画像形成部２３に印字処理等を指示する。また、印字処理においては、本発明に係わる付加情報の付加並びにその色やサイズ等の形態の変更の制御も行う。また、機器制御部３０は、ファイリングを実行する際には、ＰＣ１０２ａ等から送信された外部送信データ或いは画像読取部２０，２１で読み取られたデータに対して、管理部２７によってＨＤ２４内のフォルダ情報や保存条件の情報を参照するなどしてデータ変換を行い、ＨＤ２４の指定フォルダに変換後の画像データを保存する。
【００４０】
本発明の主たる特徴部分である画像付加部３１は、図１の画像付加手段１６に対応する部位であり、画像読取部２０，２１や通信部２６等から入力された画像情報に対し、自機１を特定する視認可能な所定の付加画像情報を付加する。画像付加部３１については付加する付加画像情報の例と共に後述する。画像付加部３１は、決定手段１６ａで説明した付加／未付加の判定を行う付加判定部３１ａ、付加情報決定手段１６ｂに対応した情報決定部３１ｂ、付加情報設定手段１６ｃに対応した情報設定部３１ｃ、レベル判定手段１６ｄに対応したレベル判定部３１ｄ、及び、特徴判定手段１６ｅに対応した特徴判定部３１ｅのいずれか１又は複数を備える。また、画像付加部３１も上述したように機器制御部３０によって制御される。
【００４１】
画像付加部３１が機器制御部３０の命令によって実行する処理の一例を説明する。例えば、画像読取部２０又は画像読取部２１から入力された画像情報（印刷データ）を、図示しない画像処理部がバッファメモリ２３ｂに保持し、これを展開することで印刷画像データを生成する。画像処理部は、機器制御部３０に接続されており、機器制御部３０から指示信号を受け取り、その信号の情報に合わせて、メモリに入ってきたデータを処理する。そのとき、必要に応じて付加画像情報を付加する。画像付加処理を実行する場合、機器制御部３０からの指示信号により、画像付加部３１は、メモリ２３ｂ中の印刷画像データに付与すべき付加画像情報２７ａを管理部２７から読み出して用い、付加画像データを生成する。生成した付加画像データは、メモリ２３ｂ中の印刷画像データと合成されて、プリンタ（画像形成部２３）に送られ、用紙等の被画像形成体に印刷されて出力される。
【００４２】
また、本発明に係るデジタル複合機１の構成や外部機器との接続形態は、この例に限ったものではない。各部は、全てがハードウェアで構成される必要はなく、デジタル複合機１をそれらの各部として機能させるプログラムを機器制御部３０や画像付加部３１の制御部、或いは印字部２３ａ内の制御部などに組み込み（或いは一部を管理部２７に組み込み）、演算装置に実行させることでも容易に実装できる。また、上述のごときプログラムは、例えばデジタル複合機１の機器制御部３０、画像付加部３１、印字部２３ａ、管理部２７などに、ファームウェアとして実装されることが多く、ファームウェアに使用するデータも同様に格納される。
【００４３】
ここで、画像読取部２０，２１について補足的に説明する。図３は、図２の画像形成装置における画像読取部の一構成例を示す概略断面図で、本発明に係る画像読取装置の一構成例を示す概略断面図でもある。上述した第一画像読取部２０及び第二画像読取部２１を併せて装備した一例が、図３のイメージスキャナユニット４０である。
【００４４】
イメージスキャナユニット４０は、ＳＰＦ（Ｓｉｎｇｌｅ  Ｐａｓｓ  Ｆｅｅｄｅｒ）を備え、原稿搬送路を１回搬送することで原稿の両面の画像を読み取る機能を備えたものである。イメージスキャナユニット４０は、原稿載置トレイ４２から原稿排出トレイ４３に至る原稿搬送路４４を備えている。原稿は、原稿搬送路４４を原稿載置トレイ４２から原稿排出トレイ４３へ向けて搬送される。原稿の搬送方向において原稿搬送路４４の上流側端部にピックアップローラ４７及び捌きローラ４８が配置され、原稿載置トレイ４２上に積載された原稿がピックアップローラ４７及び捌きローラ４８によって１枚ずつ原稿搬送路４４へ供給される。また、原稿の搬送方向において原稿搬送路４４の下流側端部に排出ローラ４９が配置され、原稿搬送路４４を搬送されてきた原稿は排出ローラ４９によって原稿排出トレイ４３へ排出される。
【００４５】
原稿搬送路４４中に、ＣＣＤ方式の画像読取部４５とＣＩＳ方式の画像読取部４６とが、原稿の搬送方向に沿ってこの順序で配置されている。ＣＣＤ方式の画像読取部４５は原稿の第１面の画像を読み取り、ＣＩＳ方式の画像読取部４６は原稿の第２面の画像を読み取る。画像読取部４５は、後述するように結像するレンズを介して集約縮小する縮小光学系をもっている。また、ＣＩＳ方式の画像読取部４６については、その詳細を説明しないが、画像読取部４６は、ＣＣＤ電荷転送方式のラインセンサが原稿の幅の分だけ設置してある。
【００４６】
画像読取部４５，４６は、一般的に、露光ランプと、露光ランプを点灯させるインバータ回路と、露光ランプから照射され原稿に反射した光をフォトダイオード（ＦＤ）で検出して電荷に変換し、この電荷をＣＣＤで転送することで電気的に検出するＣＣＤ転送方式のイメージセンサとを備える。第１の画像読取部４５は、露光ランプ４５ａ及び第１の反射ミラー４５ｂを備えた第１の走査ユニット４５ｃ、第２の反射ミラー４５ｄ及び第３の反射ミラー４５ｅを備えた第２の走査ユニット４５ｆ、結像レンズ４５ｇ、ＣＣＤセンサ４５ｈを備えている。露光ランプ４５ａから照射され原稿の第１面で反射された光は、第１の反射ミラー４５ｂ、第２の反射ミラー４５ｄ及び第３の反射ミラー４５ｅで順次反射されて結像レンズ４５ｇに入射する。結像レンズ４５ｇは、入射した光をＣＣＤセンサ４５ｈ上に結像させる。ＣＣＤセンサ４５ｈは、結像レンズ４５ｇによって結像された光を光電変換して画像データとして読み取る。
【００４７】
第１の走査ユニット４５ｃ及び第２の走査ユニット４５ｆはそれぞれ、原稿固定方式で原稿の画像を読み取る際に原稿が載置されるプラテンガラスに沿った副走査方向に変位自在に構成されている。第１の画像読取手段４５は、第１の走査ユニット４５ｃ及び第２の走査ユニット４５ｆを副走査方向に変位させることで、プラテンガラス上に載置され固定された原稿の画像を読み取り、原稿の画像の画像データを取得することができる。また、画像読取位置には、別途プラテンガラスが配置されており、露光ランプ４５ａから発せられた光は、そのプラテンガラスを透過して原稿に照射される。この画像読取位置における原稿搬送路４４のそのプラテンガラスに対向する壁面には、シェーディング補正に用いられる標準白板が配置されている。このように、第１の画像読取部４５を原稿移動方式と原稿固定方式とに兼用できるように構成したことで、原稿移動方式の画像読取手段とは別に原稿固定方式の画像読取手段を設けることなく、原稿固定方式で原稿の画像を読み取ることができる。
【００４８】
ＣＣＤ方式の画像読取部４５の上流側には、原稿搬送モータで駆動される搬送ローラ５０，５１と原稿搬送路の湾曲部５２とが原稿の搬送方向に沿ってこの順序で配置されている。一方、ＣＣＤ方式の画像読取部４５とＣＩＳ方式の画像読取部４６との間には、搬送ローラが配置されておらず、原稿搬送路４４が略直線状に形成されているが、搬送ローラを配置してもよい。
【００４９】
ここで、イメージスキャナユニット４０として画像読取装置（或いは画像形成装置や画像記録装置における画像読取ユニット）を説明したが、例示したユニット構成に限ったものではなく、画像読取部の数も制限なく１つであってもよい。また、第１の画像読取部４５が縮小光学系を含むことで、画像読取のための光路長が短くなり、イメージスキャナユニット４０を小型化可能としているように、第２の画像読取部４６として光路が必要なくなるコンタクトイメージセンサ（ＣＩＳ）ではなく、同じく縮小光学系のものを採用するなどしてもよい。
【００５０】
本発明では、プラテンガラス上に付加情報を物理的に刻印するような構成を採用していないので、画像読取部４６のようなラインセンサで原稿を流して読み取った画像情報であっても付加画像情報を付加することが可能である。すなわち、従来の磨りガラスのパターンを読み取る方式は採用できない、搬送されている原稿を読み取った画像情報に対しても、付加画像情報を電子的にデータを埋め込むことで付加することができる。従って、従来のように、プラテンガラスが破損した場合など、交換に費用と時間を要することはなくなる。また、図３の例では、画像読取部４５で読み取った画像情報であっても同様に付加することができる。このように、原稿の搬送路で原稿を読み取る手段により画像情報が入力できるようにすることが好ましい。この手段は、原稿を搬送する過程において原稿画像を読み取る読取手段である。
【００５１】
また、上記（Ｉ）の形態である画像読取装置においては、画像読取部で入力された画像データを生成し、転送や記録などの処理する画像データ処理手段が通常具備され、それに加え、本発明の主たる特徴である画像付加手段１６が具備されている。ここでの画像付加手段１６は、入力される画像データに対して所定の付加画像情報を付加する手段であり、画像データ処理手段で処理される画像データに対して所定の画像情報を付加する。なお、（Ｉ）の形態であっても、入力される画像情報が原稿の読み取りに限られるだけで、画像付加手段１６における各種応用は（ＩＩＩ）の形態等で説明するものを適用できる。
【００５２】
ここで、機器制御部３０について補足的に説明する。図４は、図２の画像形成装置における機器制御部の一構成例を示す図である。上述した機器制御部３０は、例えば、ＣＰＵ（Ｃｅｎｔｒａｌ  Ｐｒｏｃｅｓｓｉｎｇ  Ｕｎｉｔ）３０ａ、ＲＡＭ（Ｒａｎｄｏｍ  Ａｃｃｅｓｓ  Ｍｅｍｏｒｙ）３０ｂ等のメモリ、ＲＯＭ（Ｒｅａｄ  Ｏｎｌｙ  Ｍｅｍｏｒｙ）３０ｃ、入力Ｉ／Ｆ３０ｅ、及び出力Ｉ／Ｆ３０ｆが、バス３０ｄにより接続されてなる。
【００５３】
ＲＯＭ３０ｃには、ファームウェアとして、基本制御プログラムや本発明に係る画像付加のための制御プログラム、各種変換用のデータ（設定用テーブルや色変更テーブル等）が格納されている。上述したように、これらプログラムやデータは各部に分散して格納されていてもよい。本発明に係る制御プログラム及びデータとは、画像読取部２０，２１で読み取った画像情報に付加情報を付加するプログラムや、その付加情報を記録紙の大きさや色等に応じて変更するためのプログラム及び各基本色に対する記録紙の色に応じた補正値などを記した色変更テーブルなどが挙げられる。
【００５４】
これらプログラムは、ＣＰＵ３０ａ等の演算処理装置を備えたデジタル複合機１に組み込み、デジタル複合機１における演算処理装置（主としてＣＰＵ３０ａ）に実行させるためのプログラムである。このプログラムは、本発明に係る画像付加処理のステップをＣＰＵ３０ａに実行させるためのプログラムを少なくとも含むものとする。従って、本発明に係るプログラムは、演算処理装置等を含む制御部を備えた画像処理装置（画像形成装置、画像読取装置、画像記録装置等）に組み込み、その画像処理装置の制御部を画像付加手段１６として機能させるためのプログラムである。
【００５５】
そして、これらのプログラムのうち、本発明に係る画像付加処理のための制御プログラムは、ＲＯＭ３０ｃからＲＡＭ３０ｂにＣＰＵ３０ａによって読み出され、画像形成の対象として画像読取部２０，２１から入力Ｉ／Ｆ３０ｅを介して入力された画像情報にその画像情報とは異なる所定の付加画像情報を付加して、記録紙にモノクロ画像（カラー対応であればカラー画像）を形成する画像形成部２３（及び画像読取部２０，２１）に対して出力Ｉ／Ｆ３０ｆを介して出力するように、ＣＰＵ３０ａを駆動させる。ここで、付加画像情報は、入力Ｉ／Ｆ３０ｅを介して外部のＨＤ２４等から入力するか、或いはＲＯＭ３０ｃに予め格納させておき読み出すかによって取得するとよい。なお、ここで取り扱われる情報は、入力Ｉ／Ｆ３０ｅにより入力され、その処理時に一時的にＲＡＭ３０ｂに蓄積され、その後、各種ＲＯＭ３０ｃや出力Ｉ／Ｆ３０ｆを介してハードディスクに格納され、必要に応じて、ＣＰＵ３０ａによって読み出し、修正・書き込みが行われる。
【００５６】
また、このような画像付加処理の制御プログラムは、それを記録したコンピュータ読み取り可能な記録媒体としての提供も可能である。記録媒体としては、具体的には、ＣＤ−ＲＯＭ、光磁気ディスク、ＤＶＤ−ＲＯＭ、フレキシブルディスク、フラッシュメモリ、及びその他各種ＲＯＭやＲＡＭ等が想定でき、上述したプログラムを、これら記録媒体に記録して流通させることにより、当機能の実現を容易にする。そして、画像読取装置、画像形成装置、及び画像記録装置に対して、それぞれ該当するプログラムを記憶させておき、必要に応じて読み出すことにより、本発明に係わる画像付加の機能を実行することができる。
【００５７】
以下、上述のごとき装置構成例に適用可能な本発明の様々な実施形態について、説明する。図５乃至図１０は、本発明の画像形成装置において印刷処理された記録材の様々な例を示している。
【００５８】
本発明における付加画像情報とは、例えば図５において装置名を示す視認可能なウォーターマーク６２ａ，６２ｂのごとき情報（この例では「ＳＨ０１」）を、入力された画像情報に基づく印字結果６１と共に記録材６０上に印字するためのデータとなる。本発明でいうウォーターマークは、少なくとも人の目で視認可能なように、背景に印字した（電子ファイルの場合には背景画像として組み込んだ）マークを指す。このマークは、文字を点線や鎖線で記したものであってもよい。そして、ウォーターマーク６２ａ，６２ｂで例示するマークは、複写牽制のために重要な画像情報が印字されると想定される位置が記録材の切断によって単独で出回らないような位置、数、大きさをもつものとする。なお、図５乃至図１０では、ウォーターマークとして複数のマークを同じ記録材上に印字した例を示しているが、例えば長い一つの文字列が円状に配置されたウォーターマークなどであってもよい。
【００５９】
このような付加画像情報を付加することで、例えば、印字された記録材に「ＳＨ０１」がマークされていたら、複写機「ＳＨ０１」でスキャナでの画像読み込み及び印刷を行ったことが視認できたり、記録された電子ファイルの背景に「ＳＨ０１」がマークされていればスキャナ「ＳＨ０１」でスキャンを行ったことが視認できたりする。
【００６０】
上記（ＩＩ）の形態に関し、画像形成装置は、図２で例示した複合機のように画像形成の処理を含む複数の画像処理を実行可能なものであってもよい。そして、この画像形成装置は、少なくとも、画像情報入力手段で入力された画像情報に画像付加手段１６で所定の付加画像情報を付加した上で、画像形成処理等のそれぞれの画像処理を実行可能であるものとする。この画像形成装置は、画像処理を実行する一手段として、画像付加手段１６で所定の付加画像情報が付加された後の付加後の画像情報から画像を形成して、記録材上に記録する画像記録手段を有する。
【００６１】
また、この画像形成装置における画像情報入力手段を、図３で例示したＣＩＳ方式の画像読取部４６のごとき原稿の搬送路で原稿を読み取る手段とすることで、本発明に係る画像付加処理が原稿台への記録材の載置を前提とせずとも実行可能であることの効果が現れる。そして、画像付加手段１６は決定手段１６ａを有し、決定手段１６ａは所定の付加画像情報を付加するか否かを決定する際に、画像処理の種類に応じて決定を行うものとする。従って、例えば画像処理モード決定手段１４によって決定されたモードが印刷処理のモードであった場合には付加を行うが、電子ファイルの作成・格納のモードであった場合には付加を行わないといったような設定（但し管理者による設定）も可能となる。
【００６２】
また、画像付加手段１６は、付加情報決定手段１６ｂを有し、付加情報決定手段１６ｂで決定した付加画像情報を、入力された画像情報に付加するものとする。この形態における付加情報決定手段１６ｂは、所定の付加画像情報を決定する際に、画像処理の種類に応じて異ならしめることを許すものとする。従って、例えば画像処理モード決定手段１４によって決定されたモードが印刷処理のモードであった場合と電子ファイルの作成・格納のモードであった場合とでは、画像付加手段１６で付加する所定の付加画像情報が異なってもよいものとする。ここでは、前者のモードの場合には印字ユニットの製造番号を付し、後者のモードの場合にはＨＤの製造番号を付するなどの例が挙げられる。
【００６３】
また、上記（Ｉ）〜（ＩＩＩ）のいずれの装置においても画像情報入力手段は、図１乃至図３で例示し、且つ後述するように、画像情報を入力する複数の入力手段を有するようにすることが好ましい。
【００６４】
この形態の画像処理装置としては、第１の画像情報入力手段１２、第２の画像情報入力手段１３、及び画像付加手段１６を備えるなどの例が挙げられる。画像付加手段１６は、第１の画像情報入力手段１２及び／又は第２の画像情報入力手段１３から入力された画像情報に対し、画像処理装置を特定する視認可能な所定の付加画像情報を好ましくは最終的な画像処理の直前に付加する。また、画像処理装置は、第１の画像情報入力手段１２と第２の画像情報入力手段１３とからの入力を必要に応じて切り替えるための制御を実行する入力制御手段を備える。そして、画像付加手段１６は、第１及び第２の画像情報入力手段１２，１３から入力される画像情報に対して所定の付加画像情報を付加するか否か決定する決定手段１６ａを有する。
【００６５】
また、複数の画像情報入力手段を備える形態において、決定手段１６ａは、画像情報入力手段における入力元となっている（現在画像情報が入力された、或いは入力されている）入力手段に応じて、所定の付加画像情報を付加するか否かを決定することが好ましい。
【００６６】
また、画像処理装置が上記（Ｉ）の画像読取装置である形態において、複数の画像情報入力手段を備える場合、それらの入力手段としては、図２の第一画像読取部２０で例示したように原稿台上に搭載された状態で原稿を読み取る手段と、図２の第二画像読取部２１で例示したように原稿の搬送路で原稿を読み取る手段を有することが好ましい。なお、第一画像読取部２０は、原稿台上に載置された状態で原稿を読み取る手段と搬送路で原稿を読み取る手段との双方を具備した例を挙げている。これら手段を画像読取装置に備えることで、原稿を搬送する過程において原稿画像を読み取るモードと、原稿台上に支持された状態で原稿画像を読み取るモードとをユーザが切り替えることにより、モード別の、決定手段１６ａ及び／又は付加情報決定手段１６ｂでの処理が実現できる。
【００６７】
また、画像処理装置が上記（ＩＩＩ）の画像記録装置である形態において、複数の画像情報入力手段を備える場合、それらの入力手段で入力された画像情報を記録媒体に記録することとなる。ここでの記録媒体とは、記録紙や記録シート等の記録材だけでなく、ＨＤや各種ディスクメディア等の電気、磁気、光学的にデータを記録する記録媒体も含まれる。従って、この画像記録装置としては、プリンタや、ＨＤドライブ等の記録媒体駆動装置、或いはその駆動装置を備え電子ファイルを生成してファイリングするファイリング装置（ＰＣ等に具備）が挙げられる。そして、この画像記録装置においても、入力された画像情報に画像付加手段１６で所定の付加画像情報を付加した上で、記録媒体に記録を行えるものとする。但し、ＨＤ等へ電子ファイルを記録する際には、付加画像情報を分離不可能な状態で記録する必要がある。複数の入力手段を画像記録装置に備えることで、例えばファイル生成モードと印刷モードとをユーザが切り替えることにより、モード別の、決定手段１６ａ及び／又は付加情報決定手段１６ｂでの処理が実現できる。
【００６８】
また、画像処理装置が上記（ＩＩ）の画像形成装置である形態において、複数の画像情報入力手段を備える場合にも、画像形成装置は、図２で例示した複合機のように画像形成の処理を含む複数の画像処理を実行可能なものが好ましい。そして、この画像形成装置は、少なくとも、画像情報入力手段で入力された画像情報に画像付加手段１６で所定の付加画像情報を付加した上で、画像形成処理等のそれぞれの画像処理を実行可能であるものとする。複数の入力手段を多機能の画像形成装置に備えることで、例えばスキャナ読み込みモードとファイル受信モードとＦＡＸ受信モードとをユーザが切り替えることにより、モード別の、決定手段１６ａ及び／又は付加情報決定手段１６ｂでの処理が実現できる。
【００６９】
また、このような画像形成装置においても、複数の画像情報入力手段として、原稿の搬送路で原稿を読み取る手段と、原稿台上に搭載された状態で原稿を読み取る手段とを有するよう構成してもよい。このような入力手段を多機能の画像形成装置に備えることで、上述のモード別処理だけでなく、例えば原稿自動送り読み取りモードと原稿台読み取りモードとをユーザが原稿セットにより切り替えることにより、モード別の、決定手段１６ａ及び／又は付加情報決定手段１６ｂでの処理が実現できる。すなわち、決定手段１６ａでは、画像処理の種類及び入力元に応じて付加するか否かを決定してもよいし、付加情報決定手段１６ｂでは、画像処理の種類及び入力元に応じて付加する付加画像情報を選択決定してもよい。
【００７０】
このように、本発明では、画像処理の種類及び／又は入力元に応じて付加するか否かを決定手段１６ａで決定してもよいし、画像処理の種類及び／又は入力元に応じて付加する付加画像情報を付加情報決定手段１６ｂで決定してもよい。例えば、次の（ａ）〜（ｃ）のようなルールを装置の設置場所の部署等で決めておき、それに応じて装置の仕様を決めるか、装置設定を行うようにすればよい。
【００７１】
（ａ）コピーする際には付加画像情報を付加するが、ＦＡＸ送信は受信したＦＡＸ文書の画像は鮮明でなく且つ送信元番号の表示もあることから付加画像情報を付加せず送信し、受信ＦＡＸを印刷する際には画像が鮮明でないことからコピーするとコピーしたこと自体は分かるので付加画像情報を付加せず印刷する。（ｂ）ネットワークプリンタとして印刷する際には、ファイルの印刷権限の設定などＰＣ上での設定が可能であるので付加画像情報を付加せずに印刷し、コピーする際には付加画像情報を付加する。（ｃ）ＰＤＦなどの電子ファイルの作成を行うファイリング（ｓｃａｎ  ｔｏ  ｆｉｌｅ）や、読み取ったデータを添付して電子メール送信を行うｓｃａｎ  ｔｏ  ｍａｉｌを行う際など、原稿そのままの鮮明さでファイリング又はネットワーク経由で送信できるものに対しては、付加画像情報を付加する。
【００７２】
また、本発明に係る画像処理装置は、図１及び図２で例示したように、その装置のユーザを認証するユーザ認証手段１１を備えることが次の処理ができることから好ましい。
【００７３】
第一の処理として、図１０で例示したように、画像付加手段１６が、所定の付加画像情報として、画像処理装置を特定するための製造番号８２ａ，８３ａ等の情報の他に、ユーザ認証手段１１で認証したユーザに関する情報（ユーザ名やＩＤ８２ｂ、８３ｂ）も併せて付加する。ここで、画像付加手段１６は、画像処理装置を特定するための製造番号等の情報とユーザ認証手段１１で認証したユーザに関する情報とを近くに配置するよう付加することが好ましい。このような配置によって、ユーザに関する情報を切り取られることを可能な限り避けることができる。
【００７４】
第二の処理として、管理者ユーザに対しては画像付加処理の各種設定を実行させることもできる。そのために、画像付加手段１６は付加情報設定手段１６ｃを備えるものとする。付加情報設定手段１６ｃでは、ユーザ認証手段１１で認証された画像処理装置の管理者に、所定の付加画像情報の内容及び／又は付加するか否かを設定させる。ユーザ認証手段１１は、事前にユーザ認証を実行する形態に限らず、付加情報設定手段１６ｃによる画像データに対する所定の画像情報の付加に関する設定を行う際に、管理者であることを確認する手段としてユーザ認証手段１１を用いてもよい。設定は、操作パネルから行い、その設定情報は管理部（図２の管理部２７）に格納され、適宜読み出される。
【００７５】
また、付加情報設定手段１６ｃにより設定される所定の付加画像情報の内容は、画像処理装置を特定するものの他に、入力された画像情報に対する所定の処理に関わるものを含むようにしてもよい。このような追加の内容としては、上述のユーザ認証手段１１で認証されたユーザに関する情報の他に、処理部門情報や処理日時情報、さらには変倍処理等の処理の内容など、様々な画像データ処理に関わる内容が挙げられる。すなわち、この内容には、コピー等の出所を追跡するときに有効な情報を、目視できる形で多く含ませておくことが好ましい。
【００７６】
上記（ＩＩ）の画像形成装置の形態において、画像処理を実行する一手段として、画像付加手段１６で所定の付加画像情報が付加された後の付加後の画像情報から画像を形成して、記録材上に記録する画像記録手段１５を有する場合について、特に、付加画像情報によって付加される付加画像の位置等について説明する。ここでの説明においても、上述した様々な形態が併用可能である。従って、決定手段１６ａを備えてもよく、付加画像の印刷は必須ではない。
【００７７】
所定の付加画像情報は、図５乃至図１０で例示するように、画像情報入力手段で入力された画像情報と全体的に重なる記録材上の所定位置に記録可能な情報であるようにすることが好ましい。画像付加手段１６は、所定の付加画像情報を記録するように複数付加するか、或いは複数箇所に画像が付加されるような情報を付加する。さらに、付加画像情報は、二次複写した場合でもそれが分かるように、牽制的な濃さにするようにしてもよい。
【００７８】
図５で例示するように、所定の付加画像情報によって付加される付加画像６２ａ，６２ｂは、記録材６０上の複数の分割領域に例えば線Ｈで分割したときのそれぞれの分割領域において同じ位置に配置されて記録される。また、図６で例示するように、所定の付加画像情報によって付加される付加画像６５ａ〜６５ｄは、記録材６３上で、線Ｈで矢視Ｂ方向に分割し且つ線Ｖで矢視Ａ方向に分割したときのそれぞれの分割領域において同じ位置に配置されて記録される。このような位置への記録を可能とするように、所定の付加画像情報は、分割領域と同数の付加画像に関する情報とするとよい。
【００７９】
このような付加画像を付加することで、真ん中で切断されて配布されても両方の領域に牽制情報が印刷されているので、牽制効果が得られる。このような考え方は、図５に示すように水平方向に分割された２つの領域に限らず、垂直方向での分割、或いは水平及び垂直方向での分割を採用してもよいし、分割数も３以上の領域であってもよい。各分割領域には、中心近くに付加画像が印字されることが好ましい。また、分割領域としては、或る面積に対して１つ付加画像情報を中心近くに印字されるような分割の方法を採用してもよい。従って、斜めに領域を分割するなど様々な形態が挙げられる。このように、画像が記録される記録材上の好ましくは相対する位置に、少なくとも２つの所定の画像情報を付加するとよい。なお、上述したように、１つの付加画像情報であっても、文字を円状に並べるなどして全体的に大きな領域を付加画像で占めればよく、入力した画像情報と重なるような位置（入力された画像全体を表す位置）に付加するとよい。
【００８０】
また、図２及び図３で例示したように、画像記録手段１５として、記録材上の両面に対して画像を記録する手段を有する形態にあっては、画像付加手段１６は、図８に例示するように、記録材７０の第１の面に記録される画像７１と第２の面に記録される画像７３のそれぞれに所定の付加画像７２ａ，７２ｂ，７４ａ，７４ｂを付加するようにすることが好ましい。
【００８１】  さらに、画像付加手段１６は、記録材７０の両面に記録される所定の付加画像情報を、付加画像７２ａ，７２ｂと付加画像７４ａ，７４ｂで例示したように、記録材７０の表裏において上下にずれた状態となるように付加することが好ましい。このようにすることで、両面記録の場合であっても片面と他の片面とが重ならないようにできるので、切り取っても可能な領域を減らすことができ、出所が把握できないように切断することが困難となって牽制効果を上げることができる。【００８２】
また、画像付加手段１６（或いは画像記録手段１５）は、画像情報入力手段で入力される画像情報の機密レベルを判定するレベル判定手段１６ｄを備えることが好ましい。そして、画像付加手段１６は、レベル判定手段１６ｄで判定された機密レベルに応じて所定の付加画像情報の形態（数、位置、濃度、大きさなど）を決定するとよい。例えば、原稿台モードでは、本のコピーが実行されることが多く、機密レベルは低いものと考えられ、原稿台から読み取られた画像情報に対しては機密レベルが低いと判定して、付加画像情報を付加しないといった処理も可能となる。
【００８３】
また、入力された画像情報により付加画像情報の形態を確定させるといったものを中心に説明したが、記録材の種類に応じてその形態を確定させてもよい。従って、画像付加手段１６は、所定の付加画像情報として、画像形成装置で取り扱う記録材に応じた付加画像情報を保持する手段を有しておくことが好ましい。そして、画像付加手段１６は、画像記録手段１５で記録対象となる記録材に応じて、保持された付加画像情報を付加する。
【００８４】
ここで、記録材に応じたとは、画像形成装置で取り扱う記録材のサイズ（Ｂ５，Ａ４等の大きさ）に応じたものであってもよく、この場合、サイズ別に付加画像情報を保持しておいて、実際に使用する記録材のサイズに合った付加画像情報を使用する。さらに、予め付加画像情報をサイズ別に用意する方法の他には、画像付加手段１６が、記録材のサイズに応じて所定の付加画像情報を付加する所定位置を切り換えるようにしてもよい。例えば、図５で例示したＡ４やＢ５用紙等の記録材６０上の付加画像６２ａ，６２ｂの位置と、図６で例示したＡ３やＢ４用紙等の記録材６３上の付加画像６５ａ，６５ｂ，６５ｃ，６５ｄの位置とを異ならせる。例えば、少しずらすだけでもよく、牽制効果を上げることを鑑みて設定しておけばよい。また、図５及び図６の例で付加画像の数も変更しているように、サイズが大きくなるに従って牽制効果の面で必要な付加画像も大きくなるか、或いは数を増やす必要がある。
【００８５】
また、記録材に応じたとは、画像形成装置で取り扱う記録材の色に応じたものであってもよく、この場合、記録材の色別に付加画像情報を保持しておいて、実際に使用する記録材の色に合った付加画像情報を使用する。記録材の色に合った付加画像情報としては、色を異ならせるだけでもよく、画像形成装置で取り扱う記録材の色に応じた視認可能な色をもつものを保持しておけばよい。ここで、記録材の色に対し付加画像情報の色は、牽制効果が十分得られる程度に、濃度、色相、明度、彩度等を異ならせておけばよい。なお、画像形成装置がモノクロのみ対応の場合には色の明度（濃度）の差だけによって対応すればよく、カラー画像形成装置の場合には色をフルに生かして付加画像情報を作成しておけばよい。例えば、図５で例示した記録材６０（白色と仮定）上の付加画像６２ａ，６２ｂの色（薄いグレー）と、図７で例示した記録材６６（ピンク色と仮定）上の付加画像６８ａ，６８ｂの色（濃いグレー）とのように色を異ならせる。さらに、付加画像情報は、二次複写した場合でもそれが分かるように、牽制的な濃さや色にするようにしてもよい。従って、複写時に複写結果として表れる色であることが２次複写を牽制することが可能であり好ましい。
【００８６】
また、記録材の色に合った付加画像情報としては、記録材の色に応じて画像の形状自体を変えてもよく、例えば写真用紙と普通用紙とで異なる文字列の付加画像情報を付加するようにしてもよい。
【００８７】
なお、記録材の色に関する情報は、給紙トレイの設定、色の設定等のユーザ入力により、得るようにすればよい。また、記録材の色に関する情報を取得する別の形態として、カラー画像形成装置に、給紙時に記録材の色を判別する色判別手段を備えるようにしてもよい。例えば、複数の給紙トレイがあったとしても必ず記録材が通過する位置に電荷結合素子（ＣＣＤ）を設置しておき、それによって色を判別すればよい。
【００８８】
また、画像記録手段１５は、画像情報入力手段で入力された画像情報を記録する際に画像の形態を変換する画像変換手段を有することが好ましい。画像変換手段としては、拡大／縮小による変倍や集約などによって、画像を変換する手段を指す。そして、画像付加手段１６は、画像変換手段で画像の形態が変換された場合でも、画像記録手段１５で記録対象となる記録材に応じて、保持された付加画像情報を付加するようにすればよい。例えば、図９のような画像７６が印字されている原稿７５に対し、等倍印刷する場合には図５で例示した記録材（Ａ４と仮定）６０上の付加画像６２ａ，６２ｂのように付加し、縮小して図９で例示した記録材（Ｂ５と仮定）７７上に画像７８を形成する場合には、付加画像７９ａ，７９ｂのように、同様に縮小した付加画像を印刷すればよい。このような付加画像は、例えばＡ４用に付加画像６２ａ，６２ｂを印字するための付加画像情報が、Ｂ５用に付加画像７９ａ，７９ｂを印字するための付加画像情報が保持されているものとする。
【００８９】
このように、画像記録手段１５において画像が記録される記録材が確定された段階で、画像付加手段１６により付加される画像情報が確定されるようにしておくとよい。モード、倍率等の変換の後、加工して記録画像として生成し、その後、付加画像情報を、好ましくは実行データ生成直前に合成する。この形態は、特に、拡大を伴う変換がなされたときには、付加画像情報が小さくなることもなく、付加画像を画像に付加できる。
【００９０】
また、画像付加手段１６（或いは画像記録手段１５）は、画像情報入力手段で入力される画像情報の特徴を判定する特徴判定手段１６ｅを備えることが好ましい。そして、画像付加手段１６は、特徴判定手段１６ｅで判定された特徴に応じて所定の付加画像情報の形態（数、位置、濃度、大きさなど）を決定するとよい。このように、記録材上に記録再現される画像の特徴に応じて付加される所定の画像情報の形態を確定するようにするとよい。例えば、画像の特徴により写真画像であると判定された場合と文字画像であると判定された場合とで、付加する付加画像情報を異ならせればよい。なお、特徴判定手段１６ｅとしては、単にユーザが写真モードや文字モードを選択した結果として判定するものであってもよいし、画像を読み取ってその特徴を抽出するような処理を経て特徴を判定するようなものであってもよい。
【００９１】
最後に、本発明に係る処理の流れを概略的に補足するために、画像形成装置における複写処理の一例を図１１及び図１２を参照して説明する。図１１は、本発明の画像形成装置において使用されるモード別の付加／未付加判定テーブルの一例を示す図で、図中、９０はこのテーブルである。また、図１２は、本発明の画像形成装置における複写処理の流れを説明するためのフロー図である。なお、図１１は図１２のフローで用いるテーブル９０を表すものとする。
【００９２】
図１１及び図１２を参照して説明する複写処理の例では、まず、原稿がセットされることが確認される（ステップＳ１）。次に、ユーザがモード設定を行って、画像形成装置はそれを受け取る（ステップＳ２）。スタートキーがユーザにより押下されたか否かを判定し（ステップＳ３）、されていなければ押下をその段階で待つか、ステップＳ２に戻る。スタートキーの押下を確認した後、原稿を読み取る（ステップＳ４）。
【００９３】
次に、付加画像情報を付加するか否かを判定する（ステップＳ５）。ステップＳ５では、例えば、ステップＳ１，Ｓ２で設定されたモードに応じて判定を実行する。例えば、テーブル９０に示すように、ステップＳ１でＳＰＦ（原稿自動送り装置）に原稿がセットされた場合で、ステップＳ２で設定されたモードが、コピーモード及びメール送信モード及びファイリングモードであった場合には付加画像情報を付加する。一方、ステップＳ１で原稿台に原稿がセットされた場合で、ステップＳ２で設定されたモードが、コピーモード及びメール送信モードであった場合にも付加画像情報を付加する。また、ステップＳ１での原稿のセット位置に拘わらず、ＦＡＸ送信を行う場合には、付加画像情報を付加しない。なお、このテーブル９０では、原稿台からのファイリング操作は禁止されているものとする。
【００９４】
ステップＳ５での判定の結果に基づき、必要な場合には、付加画像情報を画像データに付加し（ステップＳ６）、画像形成処理を実行する（ステップＳ７）。一方、ステップＳ５での判定の結果に基づき、不必要な場合には、ステップＳ６を実行せずに、画像形成処理を実行する（ステップＳ７）。
【図面の簡単な説明】
【００９５】
【図１】本発明の一実施形態に係る画像処理装置の一構成例を示す図である。
【図２】本発明に係る画像処理装置の一例である画像形成装置の構成例を示す図である。
【図３】図２の画像形成装置における画像読取部の一構成例を示す概略断面図である。
【図４】図２の画像形成装置における機器制御部の一構成例を示す図である。
【図５】本発明の画像形成装置において印刷処理された記録材の一例を示す図である。
【図６】本発明の画像形成装置において印刷処理された記録材の他の例を示す図である。
【図７】本発明の画像形成装置において印刷処理された記録材の他の例を示す図である。
【図８】本発明の画像形成装置において印刷処理された記録材の他の例を示す図である。
【図９】本発明の画像形成装置において印刷処理された記録材の他の例を示す図である。
【図１０】本発明の画像形成装置において印刷処理された記録材の他の例を示す図である。
【図１１】本発明の画像形成装置において使用されるモード別の付加／未付加判定テーブルの一例を示す図である。
【図１２】本発明の画像形成装置における一連の複写処理の流れを説明するためのフロー図である。
【符号の説明】
【００９６】
１…画像処理装置（画像形成装置、デジタル複合機）、１１…ユーザ認証手段、１２…第一画像情報入力手段、１３…第二画像情報入力手段、１４…画像処理モード決定手段、１５…画像処理手段（画像記録手段）、１６…画像付加手段、１６ａ…決定手段、１６ｂ…付加情報決定手段、１６ｃ…付加情報設定手段、１６ｄ…レベル判定手段、１６ｅ…特徴判定手段、１７…処理手段、２０…第一画像読取部、２１…第二画像読取部、２２…操作部、２３…画像形成部、２３ａ…印字部、２３ｂ…メモリ、２４…ハードディスク（ＨＤ）、２５…ＦＡＸモデム、２６…通信部、２７…管理部、２８…タイマ、２９…消去処理部、３０…機器制御部、３０ａ…ＣＰＵ、３０ｂ…ＲＡＭ、３０ｃ…ＲＯＭ、３０ｄ…バス、３０ｅ…入力Ｉ／Ｆ、３０ｆ…出力Ｉ／Ｆ、３１…画像付加部、３１ａ…付加判定部、３１ｂ…情報決定部、３１ｃ…情報設定部、３１ｄ…レベル判定部、３１ｅ…特徴判定部、４０…イメージスキャナユニット、４５…ＣＣＤ方式の画像読取部、４６…ＣＩＳ方式の画像読取部、１０２ａ，１０２ｂ…端末ＰＣ、１０３…ネットワーク、１０４…電話回線網、１０５…インターネット網、１０６…外部ＦＡＸ、１０７…インターネットＦＡＸ、１０８…外部ＰＣ、１０９…外部サーバ。
【図１】
0004707483.tif 000002
【図２】
0004707483.tif 000003
【図３】
0004707483.tif 000004
【図４】
0004707483.tif 000005
【図５】
0004707483.tif 000006
【図６】
0004707483.tif 000007
【図７】
0004707483.tif 000008
【図８】
0004707483.tif 000009
【図９】
0004707483.tif 000010
【図１０】
0004707483.tif 000011
【図１１】
0004707483.tif 000012
【図１２】
0004707483.tif 000013